【手続補正書】
【提出日】平成18年3月13日(2006.3.13)
【手続補正１】
【補正対象書類名】明細書
【補正対象項目名】請求項１
【補正方法】変更
【補正の内容】
【請求項１】  ネットワークからの入力信号を受信し、該入力信号を含むＳＴＳ−ｎ信号を転送するように形成された少なくとも１つの入力ポートと、
上記ＳＴＳ−ｎ信号をセル及び／又はパケットベース帯域幅管理部、ＳＴＳ帯域幅管理部又はＶＴ帯域幅管理部に選択的に配信するセレクターとを含む通信デバイス。
【手続補正２】
【補正対象書類名】明細書
【補正対象項目名】請求項６
【補正方法】変更
【補正の内容】
【請求項６】  上記セレクターは、上記ＳＴＳ−ｎ信号をネットワークオペレーターからの入力に基づいて選択的に配信する請求項１記載の通信デバイス。
【手続補正３】
【補正対象書類名】明細書
【補正対象項目名】請求項７
【補正方法】変更
【補正の内容】
【請求項７】  ネットワークからの入力信号を受信するように形成された少なくとも１つの入力ポートと、
上記入力信号をセル／パケット帯域幅管理部、ＳＴＳ帯域幅管理部又はＶＴ帯域幅管理部に選択的に配信するセレクターと、
上記セレクターからの入力信号を受信することができかつセル／パケットレベル上で上記入力信号内での帯域幅を管理するように構成されたセル／パケット帯域幅管理部と、
上記セレクターからの上記入力信号を受信することができかつＳＴＳ−ｎレベル上で上記入力信号内での帯域幅を管理するように構成されたＳＴＳ帯域幅管理部と、
上記セレクターからの上記入力信号を受信することができかつＶＴ−ｎレベル上で上記入力信号内での帯域幅を管理するように構成されたＶＴ帯域幅管理部と、
上記セル／パケット帯域幅管理部、上記ＳＴＳ帯域幅管理部及び上記ＶＴ帯域幅管理部のうちの少なくとも１つから受信された信号を出力することができる少なくとも１つの出力ポートとを含む通信デバイス。
【手続補正４】
【補正対象書類名】明細書
【補正対象項目名】請求項１２
【補正方法】変更
【補正の内容】
【請求項１２】  上記ＡＴＭスイッチは、上記入力信号の仮想チャンネル及び仮想経路を管理することができる請求項１１の通信デバイス。
【手続補正５】
【補正対象書類名】明細書
【補正対象項目名】請求項１４
【補正方法】変更
【補正の内容】
【請求項１４】  ネットワークからの入力信号を受信し、該入力信号を含むＳＴＳ−ｎ信号を転送するように形成された複数の入力ポートと、
セル／パケットスイッチングファブリックと、
ＳＴＳスイッチングファブリックと、
ＶＴスイッチングファブリックと、
上記ＳＴＳ−ｎ信号を、上記データスイッチングファブリック、上記ＳＴＳスイッチングファブリック又は上記ＶＴスイッチングファブリックに選択的に配信するセレクターと、
上記セル／パケットスイッチングファブリック、上記ＳＴＳスイッチングファブリック及び上記ＶＴスイッチングファブリックからの信号を受信することができ、上記受信した信号を上記ネットワークに出力することができる少なくとも１つの出力ポートとを含む通信デバイス。
【手続補正６】
【補正対象書類名】明細書
【補正対象項目名】請求項１８
【補正方法】変更
【補正の内容】
【請求項１８】  テレコミュニケーションネットワーク上の信号の帯域幅を管理する方法であって、
上記テレコミュニケーションネットワークからの入力信号を受信し、該入力信号を含むＳＴＳ−ｎ信号を転送するステップと、
上記ＳＴＳ−ｎ信号の上記帯域幅を、ＳＴＳレベル上、ＶＴレベル上又はセル／パケットレベル上で管理するかどうか決定するステップと、
上記決定にしたがって上記ＳＴＳ−ｎ信号の上記帯域幅を管理するステップと、
管理された信号を出力するステップとを含む帯域幅を管理する方法
【手続補正７】
【補正対象書類名】明細書
【補正対象項目名】請求項１９
【補正方法】変更
【補正の内容】
【請求項１９】  上記帯域幅を管理するステップは、セルレベル上で管理される場合には、仮想チャンネル及び仮想経路レベル上である請求項１８記載の方法。
【手続補正８】
【補正対象書類名】明細書
【補正対象項目名】請求項２０
【補正方法】変更
【補正の内容】
【請求項２０】  ネットワークからの入力信号を受信するように形成された入力ポートと、
上記入力ポートと少なくともセル／パケット帯域幅管理部、ＳＴＳ帯域幅管理部又はＶＴ帯域幅管理部との間を接続する少なくとも１つのコネクターと、
上記コネクターからの上記入力信号を受信することができかつ上記セル／パケットレベル上で上記入力信号内での帯域幅を管理するように構成されたセル／パケット帯域幅管理部と、
上記コネクターからの上記入力信号を受信することができかつＳＴＳ−ｎレベル上で上記入力信号内での帯域幅を管理するように構成されたＳＴＳ帯域幅管理部と、
上記コネクターからの上記入力信号を受信することができかつＶＴ−ｎレベル上で上記入力信号内での帯域幅を管理するように構成されたＶＴ帯域幅管理部と、
上記セル／パケット帯域幅管理部、上記ＳＴＳ帯域幅管理部及び上記ＶＴ帯域幅管理部のうちの少なくとも１つから受信された信号を出力することができる少なくとも１つの出力ポートとを含む通信デバイス。
【手続補正９】
【補正対象書類名】明細書
【補正対象項目名】請求項２５
【補正方法】変更
【補正の内容】
【請求項２５】  上記ＡＴＭスイッチは上記入力信号の仮想チャンネル及び仮想経路の管理が可能な請求項２４記載の通信デバイス。
【手続補正１０】
【補正対象書類名】明細書
【補正対象項目名】請求項２６
【補正方法】変更
【補正の内容】
【請求項２６】  上記入力信号は、ネットワークオペレーターからの入力に基づいて、上記ＳＴＳ帯域幅管理部、上記ＶＴ帯域幅管理部及び上記セル／パケット帯域幅管理部の１つに選択的に配信される請求項２０記載の通信デバイス。
【手続補正１１】
【補正対象書類名】明細書
【補正対象項目名】請求項２７
【補正方法】変更
【補正の内容】
【請求項２７】  レイヤー３スイッチをさらに含み、上記少なくとも１つのコネクターは上記入力ポートと少なくとも上記セル／パケット帯域幅管理部、上記ＳＴＳ帯域幅管理部、上記ＶＴ帯域幅管理部又は上記レイヤー３スイッチの間を接続し、上記出力ポートは上記セル／パケット帯域幅管理部、上記ＳＴＳ帯域幅管理部、上記ＶＴ帯域幅管理部又は上記レイヤー３スイッチのうち少なくとも１つから受信された信号を出力することができる請求項２０記載の通信デバイス。
【手続補正１２】
【補正対象書類名】明細書
【補正対象項目名】請求項２９
【補正方法】変更
【補正の内容】
【請求項２９】  ネットワークからの入力信号を受信し、該入力信号を含むＳＴＳ−ｎ信号を転送するように形成された複数の入力ポートと、
セル／パケットスイッチングファブリックと、
ＳＴＳスイッチングファブリックと、
ＶＴスイッチングファブリックと、
それぞれ、上記複数の入力ポートの１つと上記セル／パケットスイッチングファブリック、上記ＳＴＳスイッチングファブリック及びＶＴスイッチングファブリックのうちの少なくとも１つとの間を接続する複数のコネクターと、
上記セル／パケットスイッチングファブリック、上記ＳＴＳスイッチングファブリック及びＶＴスイッチングファブリックからの信号を受信することができ、上記受信された信号を上記ネットワークに出力することができる少なくとも１つの出力ポートとを含む通信デバイス。
【手続補正１３】
【補正対象書類名】明細書
【補正対象項目名】請求項３１
【補正方法】変更
【補正の内容】
【請求項３１】  上記ＳＴＳ−ｎ信号のそれぞれは、ネットワークオペレーターからの入力に基づいてそれぞれ上記ＳＴＳスイッチングファブリック、ＶＴスイッチングファブリック及び上記セル／パケットスイッチングファブリックのうちの１つに選択的に配信される請求項２９記載の通信デバイス。
【手続補正１４】
【補正対象書類名】明細書
【補正対象項目名】図面の簡単な説明
【補正方法】変更
【補正の内容】
【図面の簡単な説明】
【図１】  本発明に係る一実施の形態のネットワーク素子のブロック図である。
【図２】  本発明に係る一実施の形態のネットワーク素子のより詳細なブロック図である。
【図３】  図２に示されたネットワーク素子におけるトラフィクフローの一例である。
【図４】  本発明に係る他の実施の形態のネットワーク素子のブロック図である。
【図５】  図４に示された実施の形態におけるトラフィックフローのサンプルを示すブロック図である。